(57)【要約】      （修正有）【課題】水と気体を十分に混合させることができて、殺菌効果を有するマイクロナノバブルシャワーヘッドを提供する。【解決手段】ハウジングと、ハウジングの内部に左から右に順次設けられた給水部１と、混合部２と放水端３とを備える本体を備えるマイクロナノバブルシャワーヘッドであって、混合部２が給水部１の右側に設けられ、放水端３が混合部２の右側に設けられ、給水部１と混合部２と放水端３が給水流路によって連通され、給水部１の右端に吸気穴４が設けられ、吸気穴４が給水部１の円錐形の開口部の収縮する位置における喉部の間に位置し且つ給水流路に連通され、ハウジングの内部に、混合部２の内部及び／又は放水端３の出口の下方にマイクロナノバブル生成装置が設けられる。【選択図】図１
0003231210.tif 000002
【実用新案登録請求の範囲】
【請求項１】
給水部（１）、混合部（２）、および放水端が左から右に順次設けられた本体を備え、給水部（１）の右端に吸気穴（４）が設けられ、吸気穴（４）が給水部（１）の円錐形の開口部の収縮する位置における喉部の間に位置し、マイクロナノバブル生成装置が前記本体に設けられることを特徴とするマイクロナノバブルシャワーヘッド。
【請求項２】
マイクロナノバブル生成装置は、第一のマイクロナノバブル生成装置と第二のマイクロナノバブル生成装置を含み、第一のマイクロナノバブル生成装置がマイクロナノバブルを生成するために、混合部（２）の内部に取り付けられた第一の混合装置（７）と第一のせん断装置（５）を含み、第二のマイクロナノバブル生成装置がマイクロナノバブルを生成するために、放水端（３）の出口の下方に設けられた第二の混合装置（１０）と第二のせん断装置（６）を含み、第一のせん断装置（５）が少なくとも一枚の第一のせん断装置金属メッシュを含み、第二のせん断装置（６）が少なくとも一枚の第二のせん断装置金属メッシュを含み、第一の混合装置（７）が少なくとも一枚の第一の混合装置金属メッシュを含み、第二の混合装置（１０）が少なくとも一枚の第二の混合装置金属メッシュを含み、第一のマイクロナノバブル生成装置が第一の金属メッシュグループを含み、第一の金属メッシュグループが第一のせん断装置金属メッシュと第一の混合装置金属メッシュを含み、第二のマイクロナノバブル生成装置が第二の金属メッシュグループを含み、第二の金属メッシュグループが第二のせん断装置金属メッシュと第二の混合装置金属メッシュを含むことを特徴とする請求項１に記載のマイクロナノバブルシャワーヘッド。
【請求項３】
マイクロナノバブル生成装置は、第一のマイクロナノバブル生成装置を含み、第一のマイクロナノバブル生成装置がマイクロナノバブルを生成するために、混合部（２）の内部に取り付けられた第一の混合装置（７）と第一のせん断装置（５）を含み、第一のせん断装置（５）が少なくとも一枚の第一のせん断装置金属メッシュを含み、第一の混合装置（７）が少なくとも一枚の第一の混合装置金属メッシュを含み、第一のマイクロナノバブル生成装置が第一の金属メッシュグループを含み、第一の金属メッシュグループが第一のせん断装置金属メッシュと第一の混合装置金属メッシュを含むことを特徴とする請求項１に記載のマイクロナノバブルシャワーヘッド。
【請求項４】
マイクロナノバブル生成装置は、第二のマイクロナノバブル生成装置を含み、第二のマイクロナノバブル生成装置がマイクロナノバブルを生成するために、放水端（３）の出口の下方に設けられた第二の混合装置（１０）と第二のせん断装置（６）を含み、第二のせん断装置（６）が少なくとも一枚の第二のせん断装置金属メッシュを含み、第二の混合装置（１０）が少なくとも一枚の第二の混合装置金属メッシュを含み、第二のマイクロナノバブル生成装置が第二の金属メッシュグループを含み、第二の金属メッシュグループが第二のせん断装置金属メッシュと第二の混合装置金属メッシュを含むことを特徴とする請求項１に記載のマイクロナノバブルシャワーヘッド。
【請求項５】
第一のせん断装置金属メッシュの微細孔は１０００メッシュ以上であることを特徴とする請求項２又は３のいずれか一項に記載のマイクロナノバブルシャワーヘッド。
【請求項６】
第二のせん断装置金属メッシュの微細孔は１０００メッシュ以上であることを特徴とする請求項２又は４のいずれ一項に記載のマイクロナノバブルシャワーヘッド。
【請求項７】
第一の混合装置金属メッシュの微細孔は１０００メッシュ以下であることを特徴とする請求項２又は３に記載のマイクロナノバブルシャワーヘッド。
【請求項８】
第二の混合装置金属メッシュの微細孔は１０００メッシュ以下であることを特徴とする請求項２又は４のいずれか一項に記載のマイクロナノバブルシャワーヘッド。
【請求項９】
給水部は収縮した円錐形の開口部を有し、水を、吸気穴（４）を有する喉部を介して混合部（２）に送り込むことを特徴とする請求項１に記載のマイクロナノバブルシャワーヘッド。
【請求項１０】
本体の円周外面（１１）に沿って内部に配置された複数の吸気口（９）がさらに設けられ、給水部（１）に逆止弁が設けられ、且つ逆止弁の前端に、水中の不純物を濾過して水に初期乱流を発生させるためのフィルター金属メッシュ（８）が設けられ、吸気装置は、混合部（２）に空気を輸送するための、混合部（２）の左端に位置する喉部に設けられた吸気穴（４）を含むことを特徴とする請求項１に記載のマイクロナノバブルシャワーヘッド。
【考案の詳細な説明】
【技術分野】
【０００１】
本考案はバブルシャワーヘッドに関し、特にバスルーム分野に適用するマイクロナノバブルシャワーヘッドに関する。
【背景技術】
【０００２】
マイクロナノバブルは、バブル寸法が小さい、比表面積が大きい、吸着効率が高い、上昇速度が遅い、酸化性が強いなどの特徴を持ち、水に導入されると、水中の固形不純物を効果的に分離し、水中の酸素濃度を迅速に上げ、水中の有害な細菌を殺すなどの利点を有する。他の水処理方法と比較して、マイクロナノバブルは、さらに操作が簡単であり、消費電力が低く、二次汚染がないなどの特徴を持っている。
【０００３】
しかし、現在の市場で使用されているシャワーヘッドは、回動可能に接続されたマイクロナノバブル生成装置のみを備え、製品の放水端で水流によって負圧を生成して空気を水に混合させてガス含有量がわずかに高い水を形成するものでえあり、その気体と水の混合が十分ではない。従来の製品は、有効なマイクロナノバブルを生成することができず、且つ生成されたバブルも殺菌効果を有しない。
【考案の概要】
【考案が解決しようとする課題】
【０００４】
本考案で提供されるマイクロナノバブルシャワーヘッドは、水と気体を十分に混合させることができ、そして殺菌効果を有するとの利点を有する。
上記利点を達成するために、本考案は、次のような技術的解決策を提供する。
【課題を解決するための手段】
【０００５】
給水部、混合部、放水端が左から右に順次設けられた本体を備え、給水部の右端に吸気穴が設けられ、吸気穴が給水部の円錐形の開口部の収縮する位置における喉部の間に位置し、マイクロナノバブル生成装置が前記本体に設けられることを特徴とするマイクロナノバブルシャワーヘッド。
【０００６】
上記解決策の一つの改善として、マイクロナノバブル生成装置は、第一のマイクロナノバブル生成装置と第二のマイクロナノバブル生成装置を含み、ここで第一のマイクロナノバブル生成装置がマイクロナノバブルを生成するために、混合部の内部に取り付けられた第一の混合装置と第一のせん断装置を含み、第二のマイクロナノバブル生成装置がマイクロナノバブルを生成するために、放水端の出口の下方に設けられた第二の混合装置と第二のせん断装置を含み、ここで第一のせん断装置が少なくとも一枚の第一のせん断装置金属メッシュを含み、第二のせん断装置が少なくとも一枚の第二のせん断装置金属メッシュを含み、第一の混合装置が少なくとも一枚の第一の混合装置金属メッシュを含み、第二の混合装置が少なくとも一枚の第二の混合装置金属メッシュを含み、第一のマイクロナノバブル生成装置が第一の金属メッシュグループを含み、第一の金属メッシュグループが第一のせん断装置金属メッシュと第一の混合装置金属メッシュを含み、第二のマイクロナノバブル生成装置が第二の金属メッシュグループを含み、第二の金属メッシュグループが第二のせん断装置金属メッシュと第二の混合装置金属メッシュを含む。
【０００７】
上記解決策の一つの改善として、マイクロナノバブル生成装置は、第一のマイクロナノバブル生成装置を含み、ここで第一のマイクロナノバブル生成装置がマイクロナノバブルを生成するために、混合部の内部に取り付けられた第一の混合装置と第一のせん断装置を含み、第一のせん断装置が少なくとも一枚の第一のせん断装置金属メッシュを含み、第一の混合装置が少なくとも一枚の第一の混合装置金属メッシュを含み、第一のマイクロナノバブル生成装置が第一の金属メッシュグループを含み、第一の金属メッシュグループが第一のせん断装置金属メッシュと第一の混合装置金属メッシュを含む。
【０００８】
上記解決策の一つの改善として、マイクロナノバブル生成装置は、第二のマイクロナノバブル生成装置を含み、ここで第二のマイクロナノバブル生成装置がマイクロナノバブルを生成するために、放水端の出口の下方に設けられた第二の混合装置と第二のせん断装置を含み、第二のせん断装置が少なくとも一枚の第二のせん断装置金属メッシュを含み、第二の混合装置が少なくとも一枚の第二の混合装置金属メッシュを含み、第二のマイクロナノバブル生成装置が第二の金属メッシュグループを含み、第二の金属メッシュグループが第二のせん断装置金属メッシュと第二の混合装置金属メッシュを含む。
【０００９】
上記解決策の一つの改善として、第一のせん断装置金属メッシュの微細孔は１０００メッシュ以上である。
【００１０】
上記解決策の一つの改善として、第二のせん断装置金属メッシュの微細孔は１０００メッシュ以上である。
【００１１】
上記解決策の一つの改善として、第一の混合装置金属メッシュの微細孔は１０００メッシュ以下である。
【００１２】
上記解決策の一つの改善として、第二の混合装置金属メッシュの微細孔は１０００メッシュ以下である。
【００１３】
上記解決策の一つの改善として、給水部は収縮した円錐形の開口部を有し、水を、吸気穴を有する喉部を介して混合部に送り込む。
【００１４】
上記解決策の一つの改善として、本体の円周外面に沿って配置された複数の吸気口がさらに設けられ、給水部に逆止弁が設けられ、且つ逆止弁の前端に、水中の不純物を濾過して水に初期乱流を発生させるためのフィルター金属メッシュが設けられ、前記吸気装置は、混合部に空気を輸送するための、混合部の左端に位置する喉部に設けられた円錐形の開口部を含む。
【００１５】
従来技術と比較して、本考案は水と気体を十分に混合させることができ、そして殺菌効果の利点を有する。そして１、吸気端が製品の後端に位置し、製品が美しく、手持ちの場合吸気口を遮る心配がないこと、２、皮膚の深い毛穴をきれいにし、皮膚の酸素含有量が一般的な水よりも高く、長時間維持されることと、３．製造コストが低いことの利点をさらに有する。
【図面の簡単な説明】
【００１６】
以下と他の利点及び特徴は、図面を参照する以下の実施例の詳細な説明からより十分に理解され、図面が例示的かつ非限定的な方式で考慮されなければならない。ここで、
【図１】本考案に係るマイクロナノバブルシャワーヘッドの構造図である。
【図２】図１の左側面図である。
【図３】図１の平面図である。
【図４】別の考案に係るマイクロナノバブルシャワーヘッドの構造図である。
【図５】別の考案に係るマイクロナノバブルシャワーヘッドの構造図である。
【考案を実施するための形態】
【００１７】
以下に図面を組み合わせながら本考案の技術的解決策を明確且つ完全に説明する。明らかに、説明される実施例は本考案の実施例の一部だけであり、全ての実施例ではない。本考案の実施例に基づき、当業者が創造的な労力を要せずに取得する他の全ての実施例は、本考案の保護範囲に属する。
【００１８】
本考案の説明では、用語「中央」、「上」、「下」、「左」、「右」、「垂直」、「横」、「内」、「外」などに示される方位又は位置関係は、図面に基づいて示される方位又は位置関係であり、本考案を容易に説明し、説明を簡略化するためだけのものであり、言及された装置又は素子が必ず特定の方位を有し、特定の方位で構築及び操作されることを示し又は暗示するためのものではなく、したがって、本考案を制限するためのものと理解されるべきではない。また、用語「第一」、「第二」、「第三」は、説明するためのものに過ぎず、相対的な重要性を示し又は暗示するものとして理解されてはいけない。
【００１９】
本考案の説明では、説明するべきものとして、特に明記及び限定されない限り、用語「取り付ける」、「接続している」、及び「接続する」という用語は広義において、例えば固定接続、取り外し可能な接続、又は一体的接続であってもよく、機械的接続であってもよく、電気的接続であってもよく、直接接続であってもよく、中間媒体を介する間接接続であってもよく、２つの素子の内部の連通であってもよいと理解されるべきである。当業者は、具体的な状況に応じて本考案での上記用語の具体的な意味を理解することができる。
【００２０】
また、以下に記載される本考案の異なる実施形態に係る技術的特徴は、互いに矛盾するものではなく、互いに組み合わせることができる。
【００２１】
図１−３に示すように、図２が図１の左側面図であり、図３が図１の平面図である。本考案によるマイクロナノバブルシャワーヘッドは、内部にマイクロナノバブル生成装置がパッケージングされ、給水部１、混合部２、および放水端３が左から右に順次設けられた本体を備え、ここで給水部１の右端に吸気装置が設けられる。吸気部１の範囲は最も左端のフィルター金属メッシュ８から吸気穴４の前端にある円錐形の収縮穴の喉部の前端までである。混合部２の範囲は吸気穴４の喉部の給水流路からシャワーヘッドの最後のせん断装置６までの給水流路である。放水端３の範囲は最後のせん断装置６と放水端３の間の給水流路である。それはまた、シャワーヘッドの底部に位置する吸気口９から吸気穴４までの吸気装置及び外観パッケージを備えた製品構造１１を有する。シャワーヘッドのホースの水をマイクロナノバブル生成装置に導入し、フィルター金属メッシュ８を介し、さらに吸水端の円錐形の収縮穴を通って給水流路の喉部に流れて負圧を生成して吸気穴４に空気を給水流路に吸入させ、給水流路の内部キャビティ及び第一の混合装置７、第二の混合装置１０と第一のせん断装置５、第二のせん断装置６を介し、さらに放水端３を通ってマイクロナノバブル含有液体を生成する。
【００２２】
前記給水部１は水を給水管からマイクロナノバブルシャワーヘッドに導入することに用いられ、混合部２は空気と水を混合させるための領域であり、放水端３は空気と水が十分に混合した混合物をマイクロナノバブルシャワーヘッドの外部に排出することに用いられる。
【００２３】
図１に示すように、本考案の実施例では、好ましくは、マイクロナノバブル生成装置は、第一のマイクロナノバブル生成装置と第二のマイクロナノバブル生成装置を含み、ここで第一のマイクロナノバブル生成装置がマイクロナノバブルを生成するために、混合部２の内部に取り付けられた第一の混合装置７と第一のせん断装置５を含み、第二のマイクロナノバブル生成装置がマイクロナノバブルを生成するために、放水端３の出口の下方に設けられた第二の混合装置１０と第二のせん断装置６を含み、ここで第一のせん断装置５が少なくとも一枚の第一のせん断装置金属メッシュを含み、第二のせん断装置６が少なくとも一枚の第二のせん断装置金属メッシュを含み、第一の混合装置７が少なくとも一枚の第一の混合装置金属メッシュを含み、第二の混合装置１０が少なくとも一枚の第二の混合装置金属メッシュを含み、第一のマイクロナノバブル生成装置が第一の金属メッシュグループを含み、第一の金属メッシュグループが第一のせん断装置金属メッシュと第一の混合装置金属メッシュを含み、第二のマイクロナノバブル生成装置が第二の金属メッシュグループを含み、第二の金属メッシュグループが第二のせん断装置金属メッシュと第二の混合装置金属メッシュを含む。
【００２４】
本考案の別の実施例では、好ましくは、水に強い乱流を発生させて気体を水に十分に溶解させ、第一のせん断装置金属メッシュを用いてマイクロナノバブルを生成するように、第一のせん断装置金属メッシュと第一の混合装置金属メッシュの各層の間に仕切り板が設けられる。
【００２５】
本考案の別の実施例では、好ましくは、水に強い乱流を発生させて気体を水に十分に溶解させ、第二のせん断装置金属メッシュを用いてマイクロナノバブルを生成するように、第二のせん断装置金属メッシュと第二の混合装置金属メッシュの各層の間に仕切り板が設けられる。
【００２６】
図４に示すように、本考案の別の実施例では、好ましくは、マイクロナノバブル生成装置は、第一のマイクロナノバブル生成装置を含み、ここで第一のマイクロナノバブル生成装置がマイクロナノバブルを生成するために、混合部２の内部に取り付けられた第一の混合装置７と第一のせん断装置５を含み、第一のせん断装置５が少なくとも一枚の第一のせん断装置金属メッシュを含み、第一の混合装置７が少なくとも一枚の第一の混合装置金属メッシュを含み、第一のマイクロナノバブル生成装置が第一の金属メッシュグループを含み、第一の金属メッシュグループが第一のせん断装置金属メッシュと第一の混合装置金属メッシュを含む。
【００２７】
本考案の別の実施例では、好ましくは、水に強い乱流を発生させて気体を水に十分に溶解させ、第一のせん断装置金属メッシュを用いてマイクロナノバブルを生成するように、第一のせん断装置金属メッシュと第一の混合装置金属メッシュの各層の間に仕切り板が設けられる。
【００２８】
図５に示すように、本考案の別の実施例では、好ましくは、マイクロナノバブル生成装置は、第二のマイクロナノバブル生成装置を含み、ここで第二のマイクロナノバブル生成装置がマイクロナノバブルを生成するために、放水端３の出口の下方に設けられた第二の混合装置１０と第二のせん断装置６を含み、第二のせん断装置６が少なくとも一枚の第二のせん断装置金属メッシュを含み、第二の混合装置１０が少なくとも一枚の第二の混合装置金属メッシュを含み、第二のマイクロナノバブル生成装置が第二の金属メッシュグループを含み、第二の金属メッシュグループが第二のせん断装置金属メッシュと第二の混合装置金属メッシュを含む。
【００２９】
本考案の別の実施例では、好ましくは、水に強い乱流を発生させて気体を水に十分に溶解させ、第二のせん断装置金属メッシュを用いてマイクロナノバブルを生成するように、第二のせん断装置金属メッシュと第二の混合装置金属メッシュの各層の間に仕切り板が設けられる。
【００３０】
本考案の実施例では、好ましくは、水の逆流を防ぐために、給水部１に逆止弁が設けられ、且つ逆止弁の前端に、水中の不純物を濾過して水に乱流を発生させるためのフィルター金属メッシュ８が設けられる。フィルター金属メッシュ８は、マイクロナノバブル生成装置の底部の最前端に位置し、水が給水流路の収縮した円錐形の開口部を通って混合部２入る。
【００３１】
本考案の実施例では、好ましくは、前記吸気装置は、混合部２に空気を輸送するための、混合部２の左端に位置する喉部に設けられた円錐形の開口部を含む。吸気装置には、シャワーヘッドの底部に位置する吸気口９を介して給水流路の喉部を通って吸気穴９（図２に示される）が開設され、空気を給水流路に導入する。図に示すように、給水流路は喉部の後の拡張部のキャビティを介して気体と液体の初期混合を行う。他の実施例では、円錐形の開口部の形状も同じ機能を達成できれば、他の任意の形状であってもよい。
【００３２】
本考案の実施例では、好ましくは、本体の円周に沿って均等に配置される複数の吸気穴４が設けられる。他の実施例では、吸気穴も本体の円周１１に沿って不均等に配置されるように設けられてもよい。
【００３３】
本考案の実施例では、好ましくは、水圧環境によりこの装置に対して増減調整を行うように補償又は調整し、気体と液体をより十分に混合させてせん断装置６によってマイクロナノバブルを生成するために、放水端３の下方にせん断装置６が設けられ、せん断装置６の下方に混合装置１０が設けられる。
【００３４】
本考案の実施例では、好ましくは、第一のせん断装置金属メッシュの微細孔は、気体と液体が混合した後の液体をより良くせん断して濾過するように、１０００メッシュ以上である。
【００３５】
本考案の実施例では、好ましくは、第二のせん断装置金属メッシュの微細孔は、気体と液体を混合した後の液体をより良くせん断して濾過するように、１０００メッシュ以上である。
【００３６】
本考案の実施例では、好ましくは、第一の混合装置金属メッシュの微細孔は、１０００メッシュ以下である。
【００３７】
本考案の実施例では、好ましくは、第二の混合装置金属メッシュの微細孔は、１０００メッシュ以下である。
【００３８】
本考案の実施例では、好ましくは、給水部は収縮した円錐形の開口部を有し、水を、吸気穴４を有する喉部を介して混合部２に送り込む。
【００３９】
本考案の実施例では、好ましくは、本体の円周外面１１に沿って内部に配置された複数の吸気口９がさらに設けられ、給水部１に逆止弁が設けられ、逆止弁の前端に、水中の不純物を濾過して水に初期乱流を発生させるためのフィルター金属メッシュが設けられ、前記吸気装置は、混合部２に空気を輸送するための、混合部２の左端に位置する喉部に設けられた吸気穴４を含む。
【００４０】
以下は、市販されている金属メッシュの微細孔とメッシュの対応表であり、微細孔とメッシュの対照を明確にする。
【００４１】
【表１】
0003231210.tif 000003
【００４２】
説明すべきものとして、上記表に示される各データは、本考案を限定するのではなく、考案者が使用する様々な組み合わせのうちの一部の組み合わせたデータのみを示すが、他の組み合わせがここで一つずつ列挙されない。上記表を参照すると、異なるメッシュの金属メッシュに対応する微細孔の寸法が異なり、生成されるマイクロナノバブルも異なることがわかる。
【００４３】
同時に、水が金属メッシュを通過する場合、圧力差によりバブルが瞬時に破裂し、細菌を殺すことができる。したがって、本考案のマイクロナノバブルシャワーヘッドはさらに殺菌機能を有する。
【００４４】
従来技術と比較して、本考案は水と気体を十分に混合させることができ、そして殺菌効果の利点を有する。そして１、吸気端が製品の後端に位置し、製品が美しく、手持ちの場合吸気口を遮る心配がないこと、２、皮膚の深い毛穴をきれいにし、皮膚の酸素含有量が一般的な水よりも高く、長時間維持されることの利点をさらに有する。
【００４５】
明らかに、上記の実施例は明確に説明するための例だけであり、実施形態を限定するものではない。当業者であれば、上記の説明に基づいて他の異なる形態の変形又は変更を行うことができる。ここで全ての実施形態を網羅することが必要ではなく且つ不可能である。これから派生する明らかな変更又は変形は依然として本考案の保護範囲にある。
【図１】
0003231210.tif 000004
【図２】
0003231210.tif 000005
【図３】
0003231210.tif 000006
【図４】
0003231210.tif 000007
【図５】
0003231210.tif 000008
【手続補正書】
【提出日】令和2年12月25日(2020.12.25)
【手続補正１】
【補正対象書類名】実用新案登録請求の範囲
【補正対象項目名】全文
【補正方法】変更
【補正の内容】
【実用新案登録請求の範囲】
【請求項１】
ハウジングと、前記ハウジングの内部に左から右に順次設けられた給水部（１）と、混合部（２）と放水端（３）とを備える本体を備えるマイクロナノバブルシャワーヘッドであって、前記混合部（２）が前記給水部（１）の右側に設けられ、前記放水端（３）が前記混合部（２）の右側に設けられ、前記給水部（１）と前記混合部（２）と前記放水端（３）が給水流路によって連通され、前記給水部（１）の右端に吸気穴（４）が設けられ、前記吸気穴（４）が前記給水部（１）の円錐形の開口部の収縮する位置における喉部の間に位置し且つ前記給水流路に連通され、前記ハウジングの内部に、前記混合部（２）の内部及び／又は前記放水端（３）の出口の下方にマイクロナノバブル生成装置が設けられることを特徴とするマイクロナノバブルシャワーヘッド。
【請求項２】
マイクロナノバブル生成装置は、第一のマイクロナノバブル生成装置と第二のマイクロナノバブル生成装置を含み、第一のマイクロナノバブル生成装置がマイクロナノバブルを生成するために、混合部（２）の内部に取り付けられた第一の混合装置（７）と第一のせん断装置（５）を含み、第二のマイクロナノバブル生成装置がマイクロナノバブルを生成するために、放水端（３）の出口の下方に設けられた第二の混合装置（１０）と第二のせん断装置（６）を含み、第一のせん断装置（５）が少なくとも一枚の第一のせん断装置金属メッシュを含み、第二のせん断装置（６）が少なくとも一枚の第二のせん断装置金属メッシュを含み、第一の混合装置（７）が少なくとも一枚の第一の混合装置金属メッシュを含み、第二の混合装置（１０）が少なくとも一枚の第二の混合装置金属メッシュを含み、第一のマイクロナノバブル生成装置が第一の金属メッシュグループを含み、第一の金属メッシュグループが第一のせん断装置金属メッシュと第一の混合装置金属メッシュを含み、第二のマイクロナノバブル生成装置が第二の金属メッシュグループを含み、第二の金属メッシュグループが第二のせん断装置金属メッシュと第二の混合装置金属メッシュを含むことを特徴とする請求項１に記載のマイクロナノバブルシャワーヘッド。
【請求項３】
マイクロナノバブル生成装置は、第一のマイクロナノバブル生成装置を含み、第一のマイクロナノバブル生成装置がマイクロナノバブルを生成するために、混合部（２）の内部に取り付けられた第一の混合装置（７）と第一のせん断装置（５）を含み、第一のせん断装置（５）が少なくとも一枚の第一のせん断装置金属メッシュを含み、第一の混合装置（７）が少なくとも一枚の第一の混合装置金属メッシュを含み、第一のマイクロナノバブル生成装置が第一の金属メッシュグループを含み、第一の金属メッシュグループが第一のせん断装置金属メッシュと第一の混合装置金属メッシュを含むことを特徴とする請求項１に記載のマイクロナノバブルシャワーヘッド。
【請求項４】
マイクロナノバブル生成装置は、第二のマイクロナノバブル生成装置を含み、第二のマイクロナノバブル生成装置がマイクロナノバブルを生成するために、放水端（３）の出口の下方に設けられた第二の混合装置（１０）と第二のせん断装置（６）を含み、第二のせん断装置（６）が少なくとも一枚の第二のせん断装置金属メッシュを含み、第二の混合装置（１０）が少なくとも一枚の第二の混合装置金属メッシュを含み、第二のマイクロナノバブル生成装置が第二の金属メッシュグループを含み、第二の金属メッシュグループが第二のせん断装置金属メッシュと第二の混合装置金属メッシュを含むことを特徴とする請求項１に記載のマイクロナノバブルシャワーヘッド。
【請求項５】
第一のせん断装置金属メッシュの微細孔は１０００メッシュ以上であることを特徴とする請求項２又は３のいずれか一項に記載のマイクロナノバブルシャワーヘッド。
【請求項６】
第二のせん断装置金属メッシュの微細孔は１０００メッシュ以上であることを特徴とする請求項２又は４のいずれ一項に記載のマイクロナノバブルシャワーヘッド。
【請求項７】
第一の混合装置金属メッシュの微細孔は１０００メッシュ以下であることを特徴とする請求項２又は３に記載のマイクロナノバブルシャワーヘッド。
【請求項８】
第二の混合装置金属メッシュの微細孔は１０００メッシュ以下であることを特徴とする請求項２又は４のいずれか一項に記載のマイクロナノバブルシャワーヘッド。
【請求項９】
給水部は収縮した円錐形の開口部を有し、水を、吸気穴（４）を有する喉部を介して混合部（２）に送り込むことを特徴とする請求項１に記載のマイクロナノバブルシャワーヘッド。
【請求項１０】
本体の円周外面（１１）に沿って内部に配置された複数の吸気口（９）がさらに設けられ、給水部（１）に逆止弁が設けられ、且つ逆止弁の前端に、水中の不純物を濾過して水に初期乱流を発生させるためのフィルター金属メッシュ（８）が設けられ、吸気装置は、混合部（２）に空気を輸送するための、混合部（２）の左端に位置する喉部に設けられた吸気穴（４）を含むことを特徴とする請求項１に記載のマイクロナノバブルシャワーヘッド。
【手続補正２】
【補正対象書類名】明細書
【補正対象項目名】００２１
【補正方法】変更
【補正の内容】
【００２１】
図１−３に示すように、図２が図１の左側面図であり、図３が図１の平面図である。本考案によるマイクロナノバブルシャワーヘッドは、内部にマイクロナノバブル生成装置がパッケージングされ、給水部１、混合部２、および放水端３が左から右に順次設けられた本体を備え、ここで給水部１の右端に吸気装置が設けられる。吸気部１の範囲は最も左端のフィルター金属メッシュ８から吸気穴４の前端にある円錐形の収縮穴の喉部の前端までである。混合部２の範囲は吸気穴４の喉部の給水流路からシャワーヘッドの最後のせん断装置６までの給水流路である。放水端３の範囲は最後のせん断装置６と放水端３の間の給水流路である。それはまた、シャワーヘッドの底部に位置する吸気口９から吸気穴４までの吸気装置及び外観パッケージを備えたハウジングを有する。シャワーヘッドのホースの水をマイクロナノバブル生成装置に導入し、フィルター金属メッシュ８を介し、さらに吸水端の円錐形の収縮穴を通って給水流路の喉部に流れて負圧を生成して吸気穴４に空気を給水流路に吸入させ、給水流路の内部キャビティ及び第一の混合装置７、第二の混合装置１０と第一のせん断装置５、第二のせん断装置６を介し、さらに放水端３を通ってマイクロナノバブル含有液体を生成する。